(57)【要約】【課題】光ピックアップ装置の性能の安定化を図ることができるピックアップフレームを提供する。【解決手段】ピックアップフレーム８は、金属製の光学ベース３０と、合成樹脂製の支持ベース３１と、接着剤３９と、を備えている。支持ベース３１は、ベース部材３２と、４つの弾性部３７と、を有している。弾性部３７は、光学ベース３０が接着固定されており、ベース部材３２と光学ベース３０とを弾性的に連結する。【選択図】図３
2010020870.tif 000002
【特許請求の範囲】
【請求項１】
光を出射する発光素子と、前記発光素子から出射された光を処理する光学処理部と、前記光学処理部で処理された光を記録媒体に向けて集光する光照射部と、を有する光ピックアップ装置に用いられるピックアップフレームであって、
前記発光素子および前記光学処理部を支持する金属製の光学ベースと、
前記光学ベースを支持する合成樹脂製の部材であって、ベース部材と、前記光学ベースが接着固定され前記ベース部材と前記光学ベースとを弾性的に連結する少なくとも１つの弾性部と、を有する支持ベースと、
を備えた光ピックアップ装置用ピックアップフレーム。
【請求項２】
前記弾性部は、前記光学ベースに近づくように、あるいは、前記光学ベースから遠ざかるように、弾性変形可能である、
請求項１に記載の光ピックアップ装置用ピックアップフレーム。
【請求項３】
前記ベース部材は、第１支持部と、前記第１支持部と隙間を介して配置された第２支持部と、前記第１支持部および前記第２支持部を連結する連結部と、を有しており、
前記弾性部は、前記第１支持部および前記第２支持部のうち少なくとも一方に固定されており、
前記弾性部と前記連結部との間には、第１空間が形成されている、
請求項１または２に記載の光ピックアップ装置用ピックアップフレーム。
【請求項４】
前記弾性部の剛性は、前記第１支持部または前記第２支持部の剛性よりも低い、
請求項３に記載の光ピックアップ装置用ピックアップフレーム。
【請求項５】
前記弾性部は、前記光学ベースが接着固定された固定部を有しており、
前記固定部は、前記第１支持部および前記第２支持部のうち少なくとも一方に比べて前記光学ベースから離れた位置に配置されている、
請求項３または４に記載の光ピックアップ装置用ピックアップフレーム。
【請求項６】
前記弾性部は、前記第１支持部に固定され前記固定部と第１支持部とを連結する第１端部と、前記第２支持部に固定され前記固定部と第２支持部とを連結する第２端部と、を有している、
請求項５に記載の光ピックアップ装置用ピックアップフレーム。
【請求項７】
前記弾性部と前記光学ベースとが対向している方向を第１方向とした場合、前記第１方向における前記弾性部の平均寸法は、前記第１方向における前記連結部の平均寸法よりも小さい、
請求項３から６のいずれかに記載の光ピックアップ装置用ピックアップフレーム。
【請求項８】
前記ベース部材および前記弾性部は、一体で形成されている、
請求項１から７のいずれかに記載の光ピックアップ装置用ピックアップフレーム。
【請求項９】
複数の前記弾性部は、前記光学ベースに作用する前記弾性部の弾性力が概ね相殺される位置に配置されている、
請求項１から８のいずれかに記載の光ピックアップ装置用ピックアップフレーム。
【請求項１０】
光を出射する発光素子と、
前記発光素子から出射された光を処理する光学処理部と、
前記光学処理部で処理された光を記録媒体に向けて集光する光照射部と、
請求項１から９のいずれかに記載のピックアップフレームと、
を備えた光ピックアップ装置。
【請求項１１】
請求項１０に記載の光ピックアップ装置と、
前記光ピックアップ装置に対向可能に配置され、記録媒体を回転可能に支持するための記録媒体載置部と、
を備えた記録再生装置。
【発明の詳細な説明】
【技術分野】
【０００１】
本発明は、合成樹脂と金属を用いたハイブリッド型のピックアップフレーム、ピックアップフレームを用いた光ピックアップ装置、および光ピックアップ装置を用いた記録再生装置に関する。
【背景技術】
【０００２】
光学式情報記録媒体である光ディスク等にオーディオ信号、文字信号および映像信号等の情報を記録または再生する装置として、光学式情報記録再生装置（以下、「記録再生装置」という）が知られている。記録再生装置には、光ピックアップ装置が搭載されている。
この光ピックアップ装置には、発光素子として半導体レーザ素子が設けられている。光ピックアップ装置では、半導体レーザ素子から出射されるレーザ光が、光ディスク等の情報記録面に照射されることで記録マークが記入され、情報の記録が行われる。また、光ピックアップ装置から情報記録面に照射されたレーザ光の反射光を受光素子としての光検出器で受光することで、情報の再生が行われる。
しかし、近年、記録再生装置は、薄型ノートパソコンおよびビデオムービー等に用いられている。これら商品を利用するユーザーの負担を軽減するために、光ピックアップ装置も含めて記録再生装置の軽量化が望まれている。
【０００３】
そこで、半導体レーザ素子や受光素子等を搭載する光ピックアップ装置のピックアップフレームを、従来から用いられている金属部材から樹脂部材に変更することで軽量化が図られている。
しかしながら、樹脂部材のピックアップフレームは金属部材に比べると線膨張係数が大きいため、光ピックアップの高温動作時に熱膨張が起こり易く、熱膨張によるピックアップフレームの変形に伴って半導体レーザ素子、もしくは受光素子等の位置ズレが発生する。このため、正確な情報記録、もしくは光検出が困難になり、光ピックアップ装置の性能が著しく低下してしまう。
そこで、こうした光ピックアップ装置の軽量化と高温動作時の信頼性確保とを両立するために、ピックアップフレームを金属部材と樹脂部材とで構成するハイブリッド型のピックアップフレームが提案されている（例えば特許文献１および２を参照）。
【特許文献１】特開2002-184005号公報
【特許文献２】特開2007-157210号公報
【発明の開示】
【発明が解決しようとする課題】
【０００４】
しかし、従来のハイブリッド型のピックアップフレームは、枠状に形成された樹脂製の支持ベースが用いられていたため、剛性が低く、捩れや折れ曲りといった変形が発生しやすい。特に、接着剤で金属製の光学ベースを樹脂製の支持ベースに接合する際、接着剤が硬化時に収縮することによって樹脂製の支持ベースが変形する。このため、支持ベースに対して光学ベースの位置がずれてしまう。支持ベースに対する光学ベースの位置がずれると、光ピックアップ装置の性能が不安定になるおそれがあるため好ましくない。
本発明の課題は、光ピックアップ装置の性能の安定化を図ることができるピックアップフレームを提供することにある。
本発明の別の課題は、性能の安定化を図ることができる光ピックアップ装置および記録再生装置を提供することにある。
【課題を解決するための手段】
【０００５】
第１の発明に係るピックアップフレームは、光を出射する発光素子と、発光素子から出射された光を処理する光学処理部と、光学処理部で処理された光を記録媒体に向けて集光する光照射部と、を有する光ピックアップ装置に用いられる。このピックアップフレームは、金属製の光学ベースと、合成樹脂製の支持ベースと、を備えている。光学ベースは発光素子および光学処理部を支持する。支持ベースは光学ベースを支持する部材である。支持ベースは、ベース部材と、少なくとも１つの弾性部と、を有している。弾性部は、光学ベースが接着固定されており、ベース部材と光学ベースとを弾性的に連結する。
このピックアップフレームでは、ベース部材と光学ベースとが弾性部により弾性的に連結されているため、硬化時に接着剤が収縮しても、弾性部により接着剤の収縮を吸収することができる。これにより、ベース部材に対して光学ベースの位置がずれるのを抑制でき、光ピックアップ装置の性能の安定化を図ることができる。
【０００６】
第２の発明に係るピックアップフレームは、光学ベースに近づくように、あるいは、光学ベースから遠ざかるように、弾性部は弾性変形可能である。
第３の発明に係るピックアップフレームは、第１または第２の発明に係るピックアップフレームにおいて、ベース部材が、第１支持部と、第１支持部と隙間を介して配置された第２支持部と、第１支持部および第２支持部を連結する連結部と、を有している。弾性部は第１支持部および第２支持部のうち少なくとも一方に固定されている。弾性部と連結部との間には、第１空間が形成されている。
第４の発明に係るピックアップフレームは、第３の発明に係るピックアップフレームにおいて、弾性部の剛性が第１支持部または第２支持部の剛性よりも低い。
第５の発明に係るピックアップフレームは、第３または第４の発明に係るピックアップフレームにおいて、光学ベースが固定された固定部を弾性部が有している。固定部は、第１支持部および第２支持部のうち少なくとも一方に比べて光学ベースから離れた位置に配置されている。
【０００７】
第６の発明に係るピックアップフレームは、第５の発明に係るピックアップフレームにおいて、弾性部は、第１支持部に固定され固定部と第１支持部とを連結する第１端部と、第２支持部に固定され固定部と第２支持部とを連結する第２端部と、を有している。
第７の発明に係るピックアップフレームは、第３から第６のいずれかの発明に係るピックアップフレームにおいて、弾性部と光学ベースとが対向している方向を第１方向とした場合、第１方向における弾性部の平均寸法は、第１方向における連結部の平均寸法よりも小さい。
第８の発明に係るピックアップフレームは、第１から第７のいずれかの発明に係るピックアップフレームにおいて、ベース部材および弾性部が一体で形成されている。
第９の発明に係るピックアップフレームは、第１から第８のいずれかの発明に係るピックアップフレームにおいて、光学ベースに作用する弾性部の弾性力が概ね相殺する位置に複数の弾性部が配置されている。
【０００８】
第１０の発明に係る光ピックアップ装置は、光を出射する発光素子と、発光素子から出射された光を処理する光学処理部と、光学処理部で処理された光を記録媒体に向けて集光する光照射部と、第１から第９のいずれかの発明に係るピックアップフレームと、を備えている。
この光ピックアップ装置では、前述のピックアップフレームによりベース部材に対する光学ベースの位置が安定するため、光学性能の安定化を図ることができる。
第１１の発明に係る記録再生装置は、第１０の発明に係る光ピックアップ装置と、記録媒体載置部と、を備えている。記録媒体載置部は、光ピックアップ装置に対向可能に配置されており、記録媒体を回転可能に支持する。
この記録再生装置では、光ピックアップ装置により光学性能の安定化を図ることができ、記録再生動作の安定化を図ることができる。
【発明の効果】
【０００９】
本発明に係るピックアップフレームでは、光ピックアップ装置の性能の安定化を図ることができる。
本発明に係る光ピックアップ装置および記録再生装置では、性能の安定化を図ることができる。
【発明を実施するための最良の形態】
【００１０】
以下、図面を参照しながら本発明の実施形態について説明する。
＜記録再生装置の構成＞
図１および図２を用いて記録再生装置１の構成について説明する。図１に記録再生装置１の概略斜視図、図２に記録再生装置１の部分斜視図を示す。なお、以降の説明では、図１の右斜め方向をＸ軸方向、光ピックアップ装置４のトラッキング方向である図１の左右方向（第１方向の一例）をＹ軸方向、Ｘ軸およびＹ軸に直交する方向（図１の上下方向）をＺ軸方向とし、図１において、右斜め上側をＸ軸方向正側、左側をＹ軸方向正側、上側をＺ軸方向正側とする。
図１に示すように、記録再生装置１は主に、光ディスク２が回転可能に載置されるディスク載置部６と、ディスク載置部６上に載置され光ディスク２を回転させるスピンドルモータ７と、光ディスク２に対して情報の記録および再生を行う光ピックアップ装置４と、光ディスク２に対して光ピックアップ装置４を移動可能に支持する移動機構５と、を備えている。
【００１１】
移動機構５は主に、光ピックアップ装置４を移動させるために平行に配置された主軸９ａおよび副軸９ｂと、主軸９ａを回転させるモータ（図示せず）を備えた固定台１０と、を有している。
主軸９ａは、固定台１０にＹ軸方向に沿って配置されており、光ピックアップ装置４の後述するピックアップフレーム８に螺合するねじ部（図示せず）を有している。主軸９ａが回転することで、光ピックアップ装置４が光ディスク２の半径方向と平行なＹ軸方向に移動する。主軸９ａは、ピックアップフレーム８がＹ軸方向以外に移動するのを規制する機能も有している。
副軸９ｂは、主軸９ａ回りにピックアップフレーム８が回動するのを規制するとともに、ピックアップフレーム８をＹ軸方向に移動可能に支持している。光ピックアップ装置４は主軸９ａに沿って移動する。これにより、光ピックアップ装置４は光ディスク２に対して、外周側および内周側に移動可能である。なお、光ピックアップ装置４を光ディスク２に対して移動させる機構は、上述の機構に限定されない。
【００１２】
＜光ピックアップ装置の構成＞
図３から図６を用いて光ピックアップ装置４の構成について説明する。図３に光ピックアップ装置４の平面図、図４にハイブリッド型のピックアップフレーム８の斜視図、図５および図６に弾性部３７周辺の平面図を示す。
図３に示すように、光ピックアップ装置４は、主に、金属製の部材と合成樹脂製の部材とを有するハイブリッド型のピックアップフレーム８と、レーザ光を出射する、たとえば半導体レーザ素子からなる発光素子１１と、光ディスク（図示せず）で反射されたレーザ光の反射光を検出して電流に変換する受光素子１３と、発光素子１１のレーザ光の強度を検出する強度センサ１５と、を備えている。
さらに、光ピックアップ装置４は、発光素子１１から出射されるレーザ光を反射させたり、平行光に変換したり、光ディスクからの反射光を反射させたりする光学処理部１７と、光学処理部１７で平行光に変換されたレーザ光を光ディスクの情報記録面に集光し、その集光されたレーザ光の焦点を光ディスクの情報記録面に合わせるための対物レンズ（光照射部の一例）１９と、対物レンズ１９を光ディスクに対してフォーカス方向およびトラッキング方向（Ｙ軸方向）に駆動させるアクチュエータ２１と、を備えている。光学処理部１７は、回折格子、コリメートレンズ、検出レンズ、立上げプリズム等を含んでいる。
【００１３】
＜ピックアップフレーム＞
ピックアップフレーム８は、図３から図６に示すように、対物レンズ１９以外の光学部品、すなわち、発光素子１１、受光素子１３、光学処理部１７を支持する光学ベース３０と、強度センサ１５および光学ベース３０を支持する支持ベース３１と、を有している。
また、ピックアップフレーム８は、支持ベース３１のＸ軸方向の第１端（図３右端）に設けられ、支持ベース３１がＹ軸方向以外の方向に可動するのを規制する第１規制部３６と、支持ベース３１のＸ軸方向の第２端（図３左端）に設けられ、支持ベース３１がＹ軸方向の軸回りに回動するのを規制する第２規制部３８と、を有している。
（１）光学ベース
光学ベース３０は発光素子１１および光学処理部１７を支持するための部材であり、光学ベース３０には発光素子１１および光学処理部１７が接着剤により固定されている。光学ベース３０は、たとえば、亜鉛やマグネシウムやアルミニウム等を主成分とする合金製であり、ダイカストにより製造された熱伝導性が良好な金属製の部材である。光学ベース３０は、支持ベース３１より僅かに薄い概ね矩形の板状部材である。
【００１４】
光学ベース３０のＸ軸方向の第２規制部３８に接近する側（図４左側）には、発光素子１１を収納して固定するための発光素子収納部３０ａが形成されている。発光素子収納部３０ａは、概ね矩形に凹んで形成されている。この発光素子収納部３０ａに発光素子１１が隙間をあけて固定されている。発光素子収納部３０ａは、その他の部分よりＹ軸方向の長さ（幅）が長く形成されている。
また、光学ベース３０の中央部には、光学処理部１７を収納して固定するためのＴ字状に開口する光学処理部収納部３０ｂが形成されている。この光学処理部収納部３０ｂに光学処理部１７が隙間をあけて固定されている。光学ベース３０のＹ軸方向に間隔を隔てて配置された２つの側面のＹ軸方向負側には、受光素子１３が隙間をあけて固定されている。
【００１５】
（２）支持ベース
支持ベース３１は、光学ベース３０を支持するための部材であり、ベース部材３２と、４つの弾性部３７と、を有している。ベース部材３２および弾性部３７は一体で形成されている。支持ベース３１には開口３６が形成されている。弾性部３７と連結部３２ｃとの間には、第１空間Ｓ１が形成されている。
ベース部材３２は支持ベース３１の主要部を形成する部分である。ベース部材３２は、第１支持部３２ａと、第１支持部３２ａと隙間を介して配置された第２支持部３２ｂと、第１支持部３２ａおよび第２支持部３２ｂを連結する連結部３２ｃと、を有している。
弾性部３７は、光学ベース３０が接着剤３９により固定される部分であり、ベース部材３２と光学ベース３０とを弾性的に連結している。弾性部３７は光学ベース３０と対向するように配置された板状の部分であり、Ｘ軸方向の端部が第１支持部３２ａおよび第２支持部３２ｂに固定されている。このため、弾性部３７は、光学ベース３０に近づくように、あるいは、光学ベース３０から遠ざかるように、弾性変形可能である。光学ベース３０と弾性部３７とが対向する方向を第１方向Ｄとすると、弾性部３７は全体として概ね第１方向Ｄに弾性変形可能である。本実施形態では、第１方向ＤはＹ軸方向と一致している。
【００１６】
弾性部３７の剛性は、弾性部３７の周辺部（より詳細には、第１支持部３２ａ、第２支持部３２ｂおよび連結部３２ｃ）の剛性よりも低い。特に、弾性部３７の第１方向Ｄの剛性は、第１支持部３２ａおよび第２支持部３２ｂの第１方向Ｄの剛性に比べて低い。このため、弾性部３７が第１方向Ｄに弾性変形する際に、ベース部材３２はほとんど変形しない。
弾性部３７の低剛性を実現するために、弾性部３７の平均寸法Ｌ２は、弾性部３７と対向する連結部３２ｃの平均寸法Ｌ１よりも小さく設定されている。ここで、平均寸法とは、Ｙ軸方向の寸法（弾性部３７の場合は厚み）の平均値を意味している。本実施形態の場合、図５に示すように、平均寸法はＸ軸方向の概ね中央位置での寸法となっている。
図４に示すように、Ｚ軸方向から見た場合、弾性部３７は折れ曲がった形状を有している。具体的には、弾性部３７は、光学ベース３０が接着剤３９により固定された固定部３７ｃと、第１支持部３２ａに固定され固定部３７ｃと第１支持部３２ａとを連結する第１端部３７ａと、第２支持部３２ｂに固定され固定部３７ｃと第２支持部３２ｂとを連結する第２端部３７ｂと、を有している。
【００１７】
固定部３７ｃは、第１支持部３２ａおよび第２支持部３２ｂに比べて光学ベース３０からＹ軸方向に離れた位置に配置されている。弾性部３７と光学ベース３０との間には、第２空間Ｓ２が形成されている。第２空間Ｓ２には接着剤３９が配置されている。第１支持部３２ａと光学ベース３０との間には、第３空間Ｓ３が形成されている。Ｚ軸方向から見た場合、第２空間Ｓ２は第３空間Ｓ３よりも広いため、接着剤３９の充填スペースを広く確保することができる。
また、光学ベース３０に作用する弾性部３７の弾性力が概ね相殺される位置に、弾性部３７は配置されている。例えば図３および図４に示すように、４つの弾性部３７に別の符号（Ｅ１〜Ｅ４）を付した場合、弾性部Ｅ１およびＥ２が光学ベース３０のＹ軸方向の両側に配置されている。Ｚ軸方向から見た場合、弾性部Ｅ２は弾性部Ｅ１と図３の上下に対称となるように配置されている。弾性部Ｅ３およびＥ４も弾性部Ｅ１およびＥ２と同様である。
【００１８】
＜記録再生装置の動作＞
図１から図３を用いて、記録再生装置１の動作について説明する。
図１および図２に示すように、スピンドルモータ７により光ディスク２が回転駆動される。光ピックアップ装置４からレーザ光が情報記録面に対して出射される。光ピックアップ装置４は、移動機構５により光ディスク２に対して半径方向と平行な方向に駆動される。以上の構成により、光ピックアップ装置４からのレーザ光の照射位置を変更することができる。
また、光ピックアップ装置４の内部では、図３に示すように、発光素子１１からＸ軸方向正側にレーザ光が出射される。このレーザ光は、光学処理部１７により平行光にされる。平行光にされたレーザ光は、Ｙ軸方向正側に進み、Ｚ軸方向正側に折り曲げられ、対物レンズ１９に入射される。対物レンズ１９は、アクチュエータ２１によりフォーカス方向およびトラッキング方向に移動可能であり、対物レンズ１９によりレーザ光が光ディスク２の情報記録面に集光され、情報記録面に記録マークが形成されることで情報が記録される。
【００１９】
光ディスク２上に記録された情報を再生する場合は、情報を記録する場合と同様に、情報記録面にレーザ光を照射する。そして、情報記録面で反射したレーザ光は、対物レンズ１９、光学処理部１７を介して受光素子１３に入射される。受光素子１３に入射されたレーザ光は、受光素子１３により電流値に変換され、その電流値に基づいて情報記録面に記録されている情報が再生される。
ピックアップフレーム８に対する光学部品の位置がずれると、レーザ光が照射される位置が所望の位置からずれるため、情報の記録および再生が正確に行えない場合がある。このため、支持ベース３１に対する光学ベース３０の位置精度は光ピックアップ装置４や記録再生装置１の性能上、非常に重要となる。
＜特徴＞
以上に説明したピックアップフレーム８の特徴を以下にまとめる。
【００２０】
（１）
このピックアップフレーム８では、ベース部材３２と光学ベース３０とが弾性部３７により弾性的に連結されているため、硬化時に接着剤３９が収縮しても、弾性部３７により接着剤３９の収縮を吸収することができる。これにより、ベース部材３２に対して光学ベース３０の位置がずれるのを抑制できる。
また、温度変化により支持ベース３１や光学ベース３０が膨張あるいは収縮しても、これらの膨張および収縮を弾性部３７の弾性変形により吸収することができる。これにより、温度変化に起因するベース部材３２に対する光学ベース３０の位置ずれを抑制できる。
このように、このピックアップフレーム８では、光ピックアップ装置の性能の安定化を図ることができる。
【００２１】
（２）
光学ベース３０に近づくように、あるいは、光学ベース３０から遠ざかるように、弾性部３７が弾性変形可能であるため、弾性部３７により接着剤３９の収縮、あるいは温度変化による部材の膨張および収縮を効果的に吸収することができる。
特に、弾性部３７の剛性が第１支持部３２ａまたは第２支持部３２ｂの剛性よりも低いため、弾性部３７により膨張および収縮を効果的に吸収することができる。この場合、弾性部３７が弾性変形しやすい方向の膨張および収縮が吸収されやすい。
（３）
弾性部３７と連結部３２ｃとの間に第１空間Ｓ１が形成されているため、弾性部３７の弾性変形が連結部３２ｃに影響を及ぼしにくくなる。
【００２２】
（４）
第１および第２支持部３２ｂのうち少なくとも一方に比べて弾性部３７の固定部３７ｃが光学ベース３０から離れた位置に配置されているため、弾性部３７と光学ベース３０との間に比較的大きな第２空間Ｓ２を確保できる。これにより、接着剤３９の充填作業が容易となり、組み付け性を高めることができる。
（５）
弾性部３７の両端がベース部材３２に固定されているため、弾性部３７に一方の端部のみが固定されている場合に比べて、弾性部３７の弾性力が大きくなる。このため、支持ベース３１に対する光学ベース３０の位置が安定しやすくなる。
（６）
弾性部３７の平均寸法Ｌ２が連結部３２ｃの平均寸法Ｌ１よりも小さいため、ベース部材３２の強度を確保しつつ、弾性部３７の弾性変形量を大きく設定することが可能となる。
【００２３】
（７）
このピックアップフレーム８では、ベース部材３２および弾性部３７が一体で形成されているため、弾性部３７による高コスト化を抑制できる。
（８）
このピックアップフレーム８では、光学ベース３０に作用する弾性部３７の弾性力が概ね相殺される位置に複数の弾性部３７が配置されているため、弾性力が作用する方向（第１方向Ｄ）の位置精度をさらに高めることができる。
（９）
以上に説明したように、このピックアップフレーム８ではベース部材３２に対する光学ベース３０の位置が安定するため、光ピックアップ装置４の性能の安定化を図ることができる。
【００２４】
また、光ピックアップ装置４の性能の安定化を図ることができるため、記録再生装置１において記録再生動作の安定化も図ることができる。
＜他の実施形態＞
本発明の具体的な構成は、前述の実施形態に限られるものではなく、発明の要旨を逸脱しない範囲で種々の変更および修正が可能である。
（１）
弾性部３７の配置は前述の実施形態に限定されない。例えば図７に示すように、４つの弾性部１３７（Ｅ１１〜Ｅ１４）のうち２つの弾性部１３７（Ｅ１１、Ｅ１２）が光学ベース３０のＸ軸方向正側に配置されていてもよい。この場合、弾性部Ｅ１３およびＥ１４が主にＸ軸方向の膨張および収縮を吸収し、弾性部Ｅ１１およびＥ１２が主にＹ軸方向の膨張および収縮を吸収する。
【００２５】
また、図８に示すように、４つの弾性部２３７（Ｅ２１〜Ｅ２４）のうち２つの弾性部２３７（Ｅ２１、Ｅ２２）が光学ベース３０に対して斜めに傾いていてもよい。この場合、弾性部Ｅ２１およびＥ２２の弾性力はＸ軸方向およびＹ軸方向の両方に作用するため、特に、温度変化による膨張および収縮を効果的に吸収できる。
（２）
弾性部３７の形状は前述の実施形態に限定されない。例えば図９に示すように、弾性部３３７の第１端部３３７ａが固定部３３７ｃから第１支持部３２ａにかけて徐々に厚くなっていてもよいし、第２端部３３７ｂが固定部３３７ｃから第２支持部３２ｂにかけて徐々に厚くなっていてもよい。この場合、弾性部３３７の剛性が前述の弾性部３７に比べて高くなる。
【００２６】
また、例えば図１０に示すように、第１端部３７ａおよび第２端部３７ｂが固定部３７ｃと同じ形状であってもよい。この弾性部４３７は平坦な板状の部分である。この場合、弾性部４３７が弾性部３７と同じ厚みであれば、弾性部４３７の剛性が前述の弾性部３７に比べて低くなる。また、弾性部３７に比べて接着面積を広く確保できる。
このように、弾性部の形状を変えることで、弾性部の特性（剛性、変形量および弾性力）を調節することができ、光学ベース３０の重量や接着剤３９の量などの条件が変わった際に弾性部の形状の最適化を図ることができる。
（３）
弾性部３７の数量や位置は前述の実施形態に限定されない。例えば図１１に示す弾性部５３７は、前述の弾性部３７よりも光学ベース３０に近い位置に配置されている。この弾性部５３７は、光学ベース３０側との距離が第１支持部３２ａと光学ベース３０との距離と概ね同じとなる位置に配置されている。
【００２７】
この場合、支持ベース３１の形状がシンプルになるため、成形がさらに容易となる。
（４）
弾性部３７がベース部材３２と別部材であってもよい。この場合、弾性部３７とベース部材３２とを異なる材質で形成できるため、弾性部３７の特性を調節できる。
（５）
図１２に示す弾性部６３７のように、第１端部６３７ａおよび第２端部６３７ｂが固定部６３７ｃに対して光学ベース３０と反対側に配置されていてもよい。この場合、接着剤３９周辺の第２空間Ｓ２を広く確保することができ、接着剤の充填作業が容易となる。
（６）
図１３に示す弾性部７３７のように、一方の端部のみベース部材３２に固定されていてもよい。
【産業上の利用可能性】
【００２８】
本発明に係るピックアップフレームは、光ピックアップ装置の性能の安定化を図ることができる。また、このピックアップフレームを利用して光ピックアップ装置および記録再生装置の性能の安定化を図ることができる。したがって、本発明は、高い性能が必要とされる光ピックアップ装置および記録再生装置の分野において有用である。
【図面の簡単な説明】
【００２９】
【図１】記録再生装置の概略斜視図
【図２】記録再生装置の一部の概略斜視図
【図３】光ピックアップ装置の平面図
【図４】ピックアップフレームの概略斜視図
【図５】弾性部周辺の平面図
【図６】弾性部周辺の平面図
【図７】弾性部周辺の平面図（他の実施形態）
【図８】弾性部周辺の平面図（他の実施形態）
【図９】弾性部周辺の平面図（他の実施形態）
【図１０】弾性部周辺の平面図（他の実施形態）
【図１１】弾性部周辺の平面図（他の実施形態）
【図１２】弾性部周辺の平面図（他の実施形態）
【図１３】弾性部周辺の平面図（他の実施形態）
【符号の説明】
【００３０】
１  記録再生装置
２  光ディスク（光学式情報記録媒体）
３  ディスクカートリッジ
４  光ピックアップ装置
８  ピックアップフレーム
９ａ  主軸
９ｂ  副軸
１０  固定台
１１  発光素子
１７  光学処理部
１９  対物レンズ（光照射部の一例）
３０  光学ベース
３１  支持ベース
３２  ベース部材
３７  弾性部
３７ａ  第１端部
３７ｂ  第２端部
３７ｃ  固定部
３９  接着剤
【図１】
2010020870.tif 000003
【図２】
2010020870.tif 000004
【図３】
2010020870.tif 000005
【図４】
2010020870.tif 000006
【図５】
2010020870.tif 000007
【図６】
2010020870.tif 000008
【図７】
2010020870.tif 000009
【図８】
2010020870.tif 000010
【図９】
2010020870.tif 000011
【図１０】
2010020870.tif 000012
【図１１】
2010020870.tif 000013
【図１２】
2010020870.tif 000014
【図１３】
2010020870.tif 000015